(57)【要約】本発明は、通信装置を備える情報処理装置に関し、記憶情報の異なる複数のＳＩＭカードを併用し、そのＳＩＭカードの情報の読込みや、ＳＩＭカードへの書込みを可能にし、ＳＩＭカードの利便性を向上させた情報処理装置、その情報処理方法及び情報処理プログラムを提供する。本発明は、通信回線により外部通信装置と通信する通信装置（４８）を備えるとともに、記憶情報の異なる複数のＳＩＭカードＩ（３６１）、ＳＩＭカードＩＩ（３６２）を用いる情報処理装置である。ＳＩＭカードを特定する選択情報に基づきＳＩＭカードを選択し、該ＳＩＭカードと通信装置との間でＳＩＭカードの情報の読取り又は書込みをする情報処理部（ＣＰＵ４０）を備えている。
2004102930.tif 000002
【特許請求の範囲】
【請求項１】
通信回線により外部通信装置と通信する通信装置を備えた情報処理装置であって、
記憶情報の異なる複数のＳＩＭカードを特定する選択情報に基づきＳＩＭカードを選択し、該ＳＩＭカードと前記通信装置との間でＳＩＭカードの情報の読取り又は書込みをする情報処理部を備える構成とした情報処理装置。
【請求項２】
少なくとも前記情報処理部を内蔵した筐体部に前記ＳＩＭカードを装着する複数のカード装着部と、
これらカード装着部毎にＳＩＭカードと前記通信装置との間で前記ＳＩＭカードの情報の読取り又は書込みをする読取・書込部と、
を備える構成とした請求の範囲１記載の情報処理装置。
【請求項３】
前記選択情報は、情報処理装置の入力装置から入力され、又は情報処理装置で実行するアプリケーション・プログラムで得られる構成とした請求の範囲１記載の情報処理装置。
【請求項４】
外部通信装置と通信する通信装置を備えた情報処理装置の情報処理方法であって、
記憶情報の異なる複数のＳＩＭカードを特定する選択情報を前記情報処理装置の記憶部に記憶する処理と、
この記憶部の前記選択情報に基づいてＳＩＭカードを選択し、該ＳＩＭカードと前記通信装置との間でＳＩＭカードの情報の読取り又は書込みをする処理と、
を含む構成とした情報処理装置の情報処理方法。
【請求項５】
通信回線により外部通信装置と通信する通信装置を備えた情報処理装置の情報処理プログラムであって、
前記通信装置に対応する第１のデバイス・ドライバと、
記憶情報の異なる複数のＳＩＭカードに対応する複数の第２のデバイス・ドライバと、
前記情報処理装置の入力装置から入力された選択情報又は前記情報処理装置で実行されるアプリケーション・プログラムで得られる選択情報により選択されるＳＩＭカードに応じて前記第２のデバイス・ドライバを切り替え、ＳＩＭカードを選択する切替部と、
を備える構成とした情報処理装置の情報処理プログラム。
【請求項６】
前記第１のデバイス・ドライバは、前記選択情報からＳＩＭカードを判定する判定プログラムを備える構成とした請求の範囲５記載の情報処理装置の情報処理プログラム。
【請求項７】
前記選択情報を格納するエリアを備える構成とした請求の範囲５記載の情報処理装置の情報処理プログラム。
【発明の詳細な説明】
【技術分野】  本発明は、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙｐｈｏｎｅ  Ｓｙｓｔｅｍ）、ＰＣ（Ｐｅｒｓｏｎａｌ  Ｃｏｍｐｕｔｅｒ）、ハンドヘルドＰＣ（ｈａｎｄｈｅｌｄ  Ｐｅｒｓｏｎａｌ  Ｃｏｍｐｕｔｅｒ）、携帯電話機、その他の情報携帯端末等、通信装置を備えた情報処理装置、その情報処理方法及び情報処理プログラムに関し、特に、加入者情報等、記憶されている情報の異なるＳＩＭ（Ｓｕｂｓｃｒｉｂｅｒ  Ｉｄｅｎｔｉｔｙ  Ｍｏｄｕｌｅ）カードを用いてＳＩＭカードの記憶情報の読取り又は書込みを行う情報処理装置、その情報処理方法及び情報処理プログラムに関する。
【背景技術】  ＳＩＭカードは、ＩＤ、電話番号、電話帳、通話料金等の加入者情報を記憶させたＩＣカードである。このＳＩＭカードを用いる携帯電話端末では、ユーザが任意の携帯電話端末を購入し、事業者を選んで契約してＳＩＭカードの提供を受け、そのＳＩＭカードをその携帯電話端末に装着して通話することができる。複数の事業者からＳＩＭカードの提供を受ければ、ＳＩＭカードを差し替えることにより、１台の携帯電話機で事業者を使い分けることができる。このようなＳＩＭカードは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）方式の携帯電話機で採用されている。
そして、広帯域符号分割マルチプルアクセス｛Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）｝の通信装置にＳＩＭカードを装着する場合、例えば、図１に示すように、携帯電話端末２の本体部４に蓋部８で開閉されるカード装着部６を形成し、このカード装着部６にＳＩＭカード１０が装着される。また、例えば、図２に示すように、カード形式の情報処理端末１２では、カード本体部１４の側面部に形成されたスロット１６にＳＩＭカード１０が装着される。このような携帯電話端末２や情報処理端末１２では、例えば、図３に示すように、本体内部に情報読取・書込部１８を備え、ＳＩＭカード１０の情報の読取り、書込みが可能である。
このようなＳＩＭカード等を用いる携帯端末等に関する先行特許文献には、例えば、特開２００２−１２５０２０号公報、特開平６−１６１８４２号公報、特開２０００−２５３１０８号公報、特開２００１−２５１３９４号公報、特開２００２−１５２３５４号公報等がある。
特開２００２−１２５０２０号公報には、ＳＩＭカードを用いた通信端末装置が開示され、特開平６−１６１８４２号公報には、外部記憶装置としてのＩＣカードや、そのＩＣカードを用いたコンピュータが開示され、特開２０００−２５３１０８号公報には、ＩＣカードを用いて画像データや音声データの圧縮伸長処理を可能にした携帯電話装置が開示されている。また、特開２００１−２５１３９４号公報には、データ記憶カードをカード装着部に装着し、そのデータ記憶カードに受信画像データや音声データの書込みやデータ記憶カードに書き込まれた画像データや音声データの読出しを可能にした無線携帯端末装置が開示され、特開２００２−１５２３５４号公報には、装着されたＳＩＭカードが電池パックで覆われる携帯端末が開示されており、このような携帯端末では、電池パックを外してＳＩＭカードが装着される。
ところで、図１に示すように、携帯電話端末２の背面側の蓋部８を開閉し、又は電池パックを外してＳＩＭカード１０を装着する場合や、図２に示すように、カード形式の情報処理端末１２のようにスロット１６にＳＩＭカード１０を装着する構成ではＳＩＭカード１０の着脱は容易であるが、ＰＣ（パーソナルコンピュータ）等の情報処理装置の内部にＳＩＭカードを設置した場合にはその着脱は装置を分解することが必要であり厄介である。
また、記憶情報が異なった複数のＳＩＭカードを利用する場合には、選択されたＳＩＭカードを差し替える操作と、その差替え操作に対応した処理等が必要であり、利便性に欠ける。
【発明の開示】
本発明は、上記課題を解決するために創出されたものであり、記憶情報の異なる複数のＳＩＭカードの利便性を向上させた情報処理装置、その情報処理方法及び情報処理プログラムを提供することを目的とする。
より詳しくは、本発明は、通信装置を備える情報処理装置に関し、記憶情報の異なる複数のＳＩＭカードを併用し、そのＳＩＭカードの情報の読取りや、ＳＩＭカードへの書込みを可能にし、ＳＩＭカードの利便性を向上させた情報処理装置、その情報処理方法及び情報処理プログラムを提供することを目的とする。
上記目的を達成するため、本発明は、通信回線により外部通信装置と通信する通信装置を備えた情報処理装置であって、記憶情報の異なる複数のＳＩＭカードを特定する選択情報に基づきＳＩＭカードを選択し、該ＳＩＭカードと前記通信装置との間でＳＩＭカードの情報の読取り又は書込みをする情報処理部を備える構成としたものである。この情報処理装置において、通信装置は筐体内に内蔵し、又は筐体に着脱可能に設置される構成でもよい。そして、情報処理部では、選択情報に基づきＳＩＭカードの選択処理、この処理で選択されたＳＩＭカードと通信装置との間での情報の読取り処理又は書込み処理が実行される。
係る構成によれば、ＩＤ、電話番号、電話帳、通話料金等の加入者情報等、記憶されている情報の異なる複数のＳＩＭカードを装着し、これらのＳＩＭカードから使用するＳＩＭカードを選択し、そのＳＩＭカードと通信装置との間でＳＩＭカードの情報の読取り又は書込みを行うことができ、ＳＩＭカードを提供する事業者の多様なサービス等を選択的に利用でき、通信の利便性が高められる。
上記目的を達成するためには、少なくとも前記情報処理部を内蔵した筐体部に前記ＳＩＭカードを装着する複数のカード装着部と、これらカード装着部毎にＳＩＭカードと前記通信装置との間で前記ＳＩＭカードの情報の読取り又は書込みをする読取・書込部とを備える構成としてもよい。
上記目的を達成するためには、前記選択情報は、情報処理装置の入力装置から入力され、又は情報処理装置で実行するアプリケーション・プログラムで得られる構成としてもよい。係る構成とすれば、選択情報は入力装置からの入力だけでなく、実行するアプリケーション・プログラムによって自動的に選択情報が得られ、それによってＳＩＭカードの選択が可能である。
上記目的を達成するため、本発明は、外部通信装置と通信する通信装置を備えた情報処理装置の情報処理方法であって、記憶情報の異なる複数のＳＩＭカードを特定する選択情報を前記情報処理装置の記憶部に記憶する処理と、この記憶部の前記選択情報に基づいてＳＩＭカードを選択し、該ＳＩＭカードと前記通信装置との間でＳＩＭカードの情報の読取り又は書込みをする処理とを含む構成としたものである。
係る構成とすれば、ＳＩＭカードの選択情報が記憶部に記憶されると、その選択情報に基づいてＳＩＭカードの選択が行われ、そのＳＩＭカードと通信装置との間で必要な情報の読取り又は書込みが行われる。
上記目的を達成するため、本発明は、通信回線により外部通信装置と通信する通信装置を備えた情報処理装置の情報処理プログラムであって、前記通信装置に対応する第１のデバイス・ドライバと、記憶情報の異なる複数のＳＩＭカードに対応する複数の第２のデバイス・ドライバと、前記情報処理装置の入力装置から入力された選択情報又は前記情報処理装置で実行されるアプリケーション・プログラムで得られる選択情報により選択されるＳＩＭカードに応じて前記第２のデバイス・ドライバを切り替え、ＳＩＭカードを選択する切替部とを備える構成としたものである。
係る構成とすれば、通信装置に対応する第１のデバイス・ドライバと、記憶情報の異なる複数のＳＩＭカード毎に設けられた複数の第２のデバイス・ドライバとの間に切替部が介在しており、情報処理装置の入力装置から入力された選択情報又は前記情報処理装置で実行されるアプリケーション・プログラムによって選択情報が得られると、この選択情報に応じて第２のデバイス・ドライバとともに対応するＳＩＭカードが選択される。この結果、通信装置とＳＩＭカードとの間でＳＩＭカードの情報の読取り又は書込みが行われる。
上記目的を達成するためには、前記選択情報を格納するエリアを備える構成としてもよく、また、前記第１のデバイス・ドライバは、前記選択情報からＳＩＭカードを判定する判定プログラムを備える構成としてもよい。
そして、本発明の他の目的、特徴及び利点は、添付図面及び各実施形態を参照することにより、一層明瞭となるであろう。
【図面の簡単な説明】  図１は、ＳＩＭカードを用いる従来の携帯電話端末を示す斜視図である。
図２は、ＳＩＭカードを用いる従来の携帯情報端末を示す斜視図である。
図３は、ＳＩＭカードの情報の読取り又は書込みをする携帯電話端末又は携帯情報端末の内部構成を示す図である。
図４は、第１の実施形態に係る情報処理装置を示す斜視図である。
図５は、第１の実施形態に係る情報処理装置の概要を示すブロック図である。
図６は、第１の実施形態に係る情報処理装置に展開される処理プログラムを示す図である。
図７は、第１の実施形態に係る情報処理装置の情報処理方法を示すフローチャートである。
図８は、第２の実施形態に係る携帯電話端末を示す図である。
図９は、第２の実施形態に係る携帯電話端末の変形例を示す図である。
【発明を実施するための最良の形態】（第１の実施形態）
本発明の第１の実施形態を図４〜図７を参照して説明する。図４は情報処理装置の一例としてパーソナルコンピュータ（ＰＣ）の外観部の構成を示す図、図５はそのＰＣの通信及び情報処理部の構成を示すブロック図、図６は情報処理装置に展開される情報処理プログラムの概要を示す図、図７は情報処理方法の一例を示すフローチャートである。
第１の実施形態では、情報処理装置の一例としてＰＣ２０が示されている。このＰＣ２０には本体部２２と表示パネル部２４とを備え、本体部２２と表示パネル部２４はヒンジ機構２６によって連結されて開閉可能に構成されている。本体部２２には複数の文字キーやファンクションキー等のキー入力部２８が設置され、また、表示パネル部２４にはＬＣＤ表示器３０が設置されている。そして、この実施形態の場合、本体部２２の上面部に第１のカード装着部３２が形成され、このカード装着部３２にはその蓋部３４を開いて第１のＳＩＭカードＩ３６１を着脱させることができる。また、本体部２２の側壁部には第２のカード装着部３８が形成され、このカード装着部３８はスロットで構成されている。このカード装着部３８には第２のＳＩＭカードＩＩ３６２を着脱させることができる。これらＳＩＭカードＩ３６１、ＳＩＭカードＩＩ３６２はＩＤ、電話番号、電話帳、通話料金等の加入者情報を記憶させたＩＣカードであって、ＳＩＭカードＩ３６１、ＳＩＭカードＩＩ３６２には異なる情報が記憶させてある。
そこで、ＳＩＭカードＩ３６１、ＳＩＭカードＩＩ３６２の何れか一方、又は双方をＰＣ２０に装着することができ、ＳＩＭカードＩ３６１、ＳＩＭカードＩＩ３６２の加入者情報等の記憶情報を利用して外部との通信や情報処理を行うことができる。
そして、ＰＣ２０には、図５に示すように、情報処理部としてＣＰＵ（Ｃｅｎｔｒａｌ  Ｐｒｏｃｅｓｓｉｎｇ  Ｕｎｉｔ）４０、情報処理プログラムや処理途上のデータ等の各種情報を記憶するＨＤＤ（Ｈａｒｄ  Ｄｉｓｋ  Ｄｒｉｖｅ）やメモリ等を含む記憶装置４２、既述のキー入力部２８の他、外部からの情報を入力する入力装置４４、既述のＬＣＤ表示器３０への表示情報等の各種情報や制御出力を発生する出力装置４６が設置されているとともに、通信回線を介して外部通信装置と通信を行う通信装置４８、ＳＩＭカードＩ３６１、ＳＩＭカードＩＩ３６２に対応する第１及び第２の情報読取・書込部５０、５２が設置されている。通信装置４８には、図示しないが、アンテナ５４を通じて電波による送受信を行う無線送受信部、ベースバンド処理部等を備えている。
また、例えば、図６に示すように、ＰＣ２０のＣＰＵ４０及び記憶装置４２の基本ソフトウェアであるＯＳ（Ｏｐｅｒａｔｉｎｇ  Ｓｙｓｔｅｍ）５６上には処理プログラム５７が展開される。この処理プログラム５７には通信装置４８に対応する第１のデバイス・ドライバ（ｄｅｖｉｓｅ  ｄｒｉｖｅｒ）５８、ＳＩＭカードＩ３６１、ＳＩＭカードＩＩ３６２が装着される各情報読取・書込部５０、５２に対応して複数の第２のデバイス・ドライバ６０、６２が備えられている。ここで、デバイス・ドライバ５８はハードウェアとしての通信装置４８を制御するドライバ・ソフトウェア（ｄｒｉｖｅｒ  ｓｏｆｔｗａｒｅ）である。デバイス・ドライバ６０、６２はハードウェアとしての情報読取・書込部５０、５２を制御するドライバ・ソフトウェアであって、ＯＳ５６に含まれるものの他、ＯＳ５６で管理されるプログラムを包含する。また、デバイス・ドライバ５８はインターフェイス部６４を有し、また、カード側のデバイス・ドライバ６０、６２には個別にインターフェイス部６６、６８を有しており、これらインターフェイス部６４とインターフェイス部６６、６８との間には、インターフェイス部６４とインターフェイス部６６、又はインターフェイス部６４とインターフェイス部６８を選択的に切り替える切替部７０が設置されている。この切替部７０の切替えはデバイス・ドライバ５８によって行われる。
また、このＯＳ５６にはＳＩＭカードＩ３６１、ＳＩＭカードＩＩ３６２を選択して通信処理や情報処理を実行するアプリケーション・プログラム７２が搭載され、ＳＩＭカードＩ３６１、ＳＩＭカードＩＩ３６２の選択情報を退避させて記憶する記憶エリアとして選択情報退避エリア７４が設定されている。
このような情報処理装置において、カード装着部３２にＳＩＭカードＩ３６１、カード装着部３８にＳＩＭカードＩＩ３６２を装着すると、ＳＩＭカードＩ３６１は情報読取・書込部５０を通じてデバイス・ドライバ６０、ＳＩＭカードＩＩ３６２は情報読取・書込部５２を通じてデバイス・ドライバ６２と連係され、情報の読取り又は情報の書込みの準備状態となる。
そこで、図７に示すフローチャートを参照してアプリケーション・プログラム７２の実行処理を説明すると、前記準備状態において、アプリケーション・プログラム７２が実行され、アプリケーション・プログラム７２が選択情報としてＳＩＭカード情報を選択すると（ステップＳ１）、このＳＩＭカード情報は選択情報として選択情報退避エリア７４に記憶される（ステップＳ２）。
この選択情報退避エリア７４に記憶した選択情報はデバイス・ドライバ５８の実行により、選択情報退避エリア７４に記憶している情報が何れのＳＩＭカードに該当するのかを判定し、この実施形態では、選択情報が記憶情報の異なる複数のＳＩＭカードの中のＳＩＭカードＩ３６１の情報か、ＳＩＭカードＩＩ３６２の情報かを判定する（ステップＳ３）。
この判定により、ＳＩＭカードＩ３６１を選択する場合には（ステップＳ４）、デバイス・ドライバ５８とデバイス・ドライバ６０とを切替部７０により連係させ、ＳＩＭカードＩ３６１が選択される。このとき、通信装置４８側のデバイス・ドライバ５８とＳＩＭカードＩ３６１側のデバイス・ドライバ６０がインターフェイス部６４、６６により結合される。この結果、ＳＩＭカードＩ３６１の読取情報が情報読取・書込部５０からデバイス・ドライバ６０、切替部７０及びデバイス・ドライバ５８を経て通信装置４８に通知され、また、通信装置４８の書込情報がデバイス・ドライバ５８、切替部７０及びデバイス・ドライバ６０を経て情報読取・書込部５０のＳＩＭカードＩ３６１に通知される。従って、ＳＩＭカードＩ３６１が選択された場合には、ＳＩＭカードＩ３６１から読み取られた加入者情報等の情報が通信装置４８に伝達され、通信装置４８からの書込情報がＳＩＭカードＩ３６１に伝達されてメモ等の記憶部に書き込まれ、保存される。
また、上記判定により、ＳＩＭカードＩＩ３６２が選択される場合には（ステップＳ５）、デバイス・ドライバ５８とデバイス・ドライバ６２とを切替部７０により切り替え、ＳＩＭカードＩＩ３６２が選択される。このとき、通信装置４８側のデバイス・ドライバ５８とＳＩＭカードＩＩ３６２側のデバイス・ドライバ６２がインターフェイス部６４、６８により結合される。この結果、ＳＩＭカードＩＩ３６２の読取情報が情報読取・書込部５２からデバイス・ドライバ６２、切替部７０及びデバイス・ドライバ５８を経て通信装置４８に通知され、また、通信装置４８の書込情報がデバイス・ドライバ５８、切替部７０及びデバイス・ドライバ６２を経て情報読取・書込部５２のＳＩＭカードＩＩ３６２に通知される。従って、ＳＩＭカードＩＩ３６２が選択された場合には、ＳＩＭカードＩＩ３６２から読み取られた加入者情報等の情報が通信装置４８に伝達され、通信装置４８からの書込情報がＳＩＭカードＩＩ３６２に伝達されて、メモ等の記憶部に書き込まれることになる。
このようにＯＳ５６上に展開される処理プログラム５７の実行、この場合、アプリケーション・プログラム７２の実行により、ＳＩＭカードＩ３６１かＳＩＭカードＩＩ３６２かを選択し、選択されたＳＩＭカードＩ３６１又はＳＩＭカードＩＩ３６２に応じて通信装置４８との情報の授受が可能であり、通信装置４８に対しては通信に必要なＳＩＭカード情報を提供し、通信装置４８からの情報を書込情報としてＳＩＭカードＩ３６１かＳＩＭカードＩＩ３６２かに提供し、書き込むことが可能である。
この実施形態では、アプリケーション・プログラム７２の実行により、ＳＩＭカードＩ３６１かＳＩＭカードＩＩ３６２かを特定する選択情報を選択情報退避エリア７４に記憶させたが、入力装置４４を通じて選択情報を入力し、選択情報退避エリア７４に記憶させ、デバイス・ドライバ５８の実行により、ＳＩＭカードの判定をするようにしてもよい。この場合、図７に示すフローチャートにより同様の処理が可能である。
（第２の実施形態）
本発明の第２の実施形態を図８を参照して説明する。図８は情報処理装置の一例として携帯電話端末の外観構成を示す図である。
この携帯電話端末７６の本体部７８にはヒンジ機構８０を介して表示部８２が取り付けられ、本体部７８と表示部８２がヒンジ機構８０により屈曲して開閉可能に構成されている。本体部７８の上面部には入力装置４４を構成する複数のキーからなるキー入力部８４が形成され、また、表示部８２にはＬＣＤディスプレイ８６等が設置されている。
そして、この携帯電話端末７６の本体部７８の側面部には、第１及び第２のカード装着部８８、９０がスロットによって形成され、カード装着部８８にはＳＩＭカードＩ３６１が装着され、カード装着部９０にはＳＩＭカードＩＩ３６２が装着される。その他の構成は、第１の実施形態と同様であるので、その説明を省略する。
また、この携帯電話端末７６の背面部に例えば、図９に示すように、第３のカード装着部９２を形成し、他のＳＩＭカードＩＩＩ３６３を装着するようにしてもよい。
なお、実施形態では、記憶情報の異なる複数のＳＩＭカードとして２枚又は３枚のＳＩＭカードを用いた情報処理装置を例示して説明したが、本発明は、４枚以上のＳＩＭカードを利用する場合にも適用でき、例えば、２つのカード装着部を備えて４以上のＳＩＭカードを差し替えて用いる場合にも適用できるものである。
また、実施形態では、Ｗ−ＣＤＭＡ通信装置を内蔵するＰＣ又は携帯電話機を例にとって説明したが、本発明は、Ｗ−ＣＤＭＡ以外の通信方式の通信装置を備える各種の携帯電話機、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙｐｈｏｎｅ  Ｓｙｓｔｅｍ）、ハンドヘルドＰＣ（ｈａｎｄｈｅｌｄ  Ｐｅｒｓｏｎａｌ  Ｃｏｍｐｕｔｅｒ）、その他の情報携帯端末、ディジタルカメラ等の情報処理装置に適用できるものである。
以上述べたように、本発明の最も好ましい実施形態等について説明したが、本発明は、上記記載に限定されるものではなく、請求の範囲に記載され、又は発明を実施するための最良の形態に開示された発明の要旨に基づき、当業者において様々な変形や変更が可能であることは勿論であり、係る変形や変更が、本発明の範囲に含まれることは言うまでもない。
【産業上の利用可能性】  本発明は、ＩＤ、電話番号、電話帳、通話料金等の加入者情報等、記憶情報の異なる複数のＳＩＭカードを装着し、これらのＳＩＭカードから使用するＳＩＭカードを選択し、そのＳＩＭカードと通信装置との間でＳＩＭカードの情報の読取り又は書込みを行うことができ、ＳＩＭカードを提供する事業者の多様なサービス等を選択的に利用できる等、通信の利便性の向上を図ることができ、有用である。
【図１】
2004102930.tif 000003
【図２】
2004102930.tif 000004
【図３】
2004102930.tif 000005
【図４】
2004102930.tif 000006
【図５】
2004102930.tif 000007
【図６】
2004102930.tif 000008
【図７】
2004102930.tif 000009
【図８】
2004102930.tif 000010
【図９】
2004102930.tif 000011
【国際調査報告】
2004102930.tif 000012
2004102930.tif 000013
2004102930.tif 000014
2004102930.tif 000015